(57)【要約】【課題】格子設計を通してキュービットの周波数衝突を減少させるデバイスおよび超伝導制御キュービット格子を提供する。【解決手段】量子キュービットのための格子配列が記載される。格子配列は、エッジによって接続された頂点を有する隣接構造を含み得る。キュービットは、頂点上に配置され得る。格子配列内のキュービットは、３つ以下の他のキュービットに直接接続するか、または頂点上の２つのキュービット間のエッジ上の連結キュービットを介して別のキュービットに接続する。隣接構造は、六角形、十二角形、または八角形を含み得る。超伝導キュービット格子は、超伝導ターゲット・キュービットおよび超伝導制御キュービットを含み得る。超伝導キュービット格子は、エッジによって接続された頂点を有する隣接構造を含んでもよく、ターゲット・キュービットは頂点上に配置され、制御キュービットはエッジ上に配置される。隣接する超伝導ターゲット・キュービットおよび超伝導制御キュービットの間の論理演算は、超伝導ターゲット・キュービットの周波数において、または周波数付近で、超伝導制御キュービットを駆動することによって実施され得る。【選択図】図２
2021516383.tif 000002
【特許請求の範囲】
【請求項１】
エッジによって接続された頂点を有する隣接構造を含む格子配列に配列される第１のキュービットを備えるデバイスであって、前記第１のキュービットが、前記頂点上に配置され、第１のキュービットが、３つ以下の他の第１のキュービット、および頂点上の２つの第１のキュービット間のエッジ上の連結キュービットを介する別の第１のキュービットのうちの１つに直接接続される、デバイス。
【請求項２】
前記隣接構造が、六角形を含む、請求項１に記載のデバイス。
【請求項３】
前記六角形が、前記六角形の頂点の間の前記エッジ上に連結キュービットを有する、請求項２に記載のデバイス。
【請求項４】
前記隣接構造が、十二角形を含む、請求項１に記載のデバイス。
【請求項５】
前記十二角形が、前記十二角形の頂点の間の前記エッジ上に連結キュービットを有する、請求項４に記載のデバイス。
【請求項６】
前記隣接構造が、八角形を含む、請求項１に記載のデバイス。
【請求項７】
前記八角形が、前記八角形の頂点の間の前記エッジ上に連結キュービットを有する、請求項６に記載のデバイス。
【請求項８】
前記隣接構造が、矩形の頂点の間の前記エッジ上に連結キュービットを有する前記矩形を含む、請求項１に記載のデバイス。
【請求項９】
前記連結キュービットが、制御キュービットを含み、それぞれの第１のキュービットが、ターゲット・キュービットを含む、請求項１に記載のデバイス。
【請求項１０】
前記格子配列が、超伝導キュービット格子であり、前記第１のキュービットが、超伝導ターゲット・キュービットであり、前記連結キュービットが、超伝導制御キュービットであり、前記超伝導キュービット格子が、エッジによって接続された頂点を有する隣接構造を含み、前記超伝導ターゲット・キュービットが、前記頂点上に配置され、前記超伝導制御キュービットが、前記エッジ上に配置され、第１の超伝導ターゲット・キュービットが、前記第１の超伝導ターゲット・キュービットと第２の超伝導ターゲット・キュービットとの間のエッジ上の超伝導制御キュービットを介して前記第２の超伝導ターゲット・キュービットに接続する、請求項１に記載のデバイス。
【請求項１１】
前記隣接構造が、六角形の頂点の間の前記エッジ上に超伝導制御キュービットを有する前記六角形を含む、請求項１０に記載の超伝導キュービット格子。
【請求項１２】
前記隣接構造が、十二角形の頂点の間の前記エッジ上に超伝導制御キュービットを有する前記十二角形を含む、請求項１０に記載の超伝導キュービット格子。
【請求項１３】
前記隣接構造が、八角形の頂点の間の前記エッジ上に超伝導制御キュービットを有する前記八角形を含む、請求項１０に記載の超伝導キュービット格子。
【請求項１４】
前記隣接構造が、矩形の頂点の間の前記エッジ上に超伝導制御キュービットを有する前記矩形を含む、請求項１０に記載の超伝導キュービット格子。
【請求項１５】
前記格子配列が、超伝導キュービット格子であり、前記第１のキュービットが、超伝導キュービットであり、超伝導キュービットが、３つ以下の他の超伝導キュービットに接続する、請求項１に記載のデバイス。
【請求項１６】
前記隣接構造が、六角形、十二角形、および八角形のうちの１つを含む、請求項１５に記載のデバイス。
【請求項１７】
前記超伝導キュービットが、連結超伝導キュービットを介して前記３つ以下の他の超伝導キュービットに間接的に接続し、第１の超伝導キュービットが、第１の頂点上の前記第１の超伝導キュービットと第２の頂点上の第２の超伝導キュービットとの間のエッジ上の連結超伝導キュービットを介して前記第２の超伝導キュービットに接続する、請求項１５に記載のデバイス。
【請求項１８】
隣接する超伝導ターゲット・キュービットおよび超伝導制御キュービットの間の論理演算が、前記超伝導ターゲット・キュービットの周波数において、または前記周波数付近で、前記超伝導制御キュービットを駆動することによって実施される、請求項１０に記載のデバイス。
【請求項１９】
前記隣接構造が、六角形の頂点の間の前記エッジ上に超伝導制御キュービットを有する前記六角形を含む、請求項１８に記載のデバイス。
【請求項２０】
前記隣接構造が、十二角形の頂点の間の前記エッジ上に超伝導制御キュービットを有する前記十二角形を含む、請求項１８に記載のデバイス。
【請求項２１】
前記隣接構造が、八角形の頂点の間の前記エッジ上に超伝導制御キュービットを有する前記八角形を含む、請求項１８に記載のデバイス。
【請求項２２】
前記隣接構造が、矩形の頂点の間の前記エッジ上に超伝導制御キュービットを有する前記矩形を含む、請求項１８に記載のデバイス。
【発明の詳細な説明】
【技術分野】
【０００１】
本発明は、一般に、量子コンピューティングに関し、より詳細には、量子計算のためのキュービットの格子配列（lattice arrangement）に関する。
【背景技術】
【０００２】
量子情報処理（量子コンピューティング）は、従来の機械計算では手に負えないあるカテゴリの数学問題を解くための潜在能力を持つ。量子コンピューティングは、情報を符号化するために量子物理学を活用する。例えば、量子コンピュータは、量子情報の基本単位である量子ビット（キュービット）を活用することができ、したがって、量子コンピュータは、キュービットを活用して情報を符号化することができる。非常に有用な量子コンピュータの構築には、おそらくおよそ数百万の物理キュービットを有する必要がある。
【発明の概要】
【発明が解決しようとする課題】
【０００３】
多くの従来の量子コンピュータ・アーキテクチャは、最近接のキュービットに垂直および水平に連結される物理キュービットで配列され、２次元グリッドを形成する。しかしながら、キュービットの周波数が、キュービットを実施するいくつかの物理系において十分に制御可能ではなく、実際には、キュービットは、製造後の欠陥に起因する周波数の拡散を有する。周波数のいくつかの範囲では、２つの近隣キュービット（neighboring qubit）で構成されるゲートが、動作するとしても十分に動作しない。これは周波数衝突（frequency collision）と呼ばれ、それらのキュービット間の論理演算を妨げる。極端な場合、周波数範囲は、結果として役に立たないキュービットが生じるほど悪く、基本的には格子内の穴となる。
【課題を解決するための手段】
【０００４】
以下では、本発明の１つまたは複数の実施形態の基本的理解を提供するための概要を提示する。本概要は、重要なもしくは重大な要素を識別することを意図するものではなく、または特定の実施形態のいかなる範囲、もしくは特許請求の範囲のいかなる範囲も描写することを意図するものではない。その唯一の目的は、後で提示される、より詳細な説明の前置きとして、簡略化した形式で概念を提示することである。
【０００５】
本発明の実施形態によれば、デバイスは、格子配列に配列されるキュービットを含み、格子配列は、エッジによって接続された頂点を有する隣接構造（adjacent structure）を含む。キュービットは、頂点上に配置され、格子配列内のキュービットは、３つ以下の他のキュービットに直接接続するか、または頂点上の２つのキュービット間のエッジ上の連結キュービット（coupling qubit）を介して別のキュービットに接続する。このように、デバイスは、キュービット間の接続数を減少させ、同様に、周波数衝突の機会を減少させる。
【０００６】
隣接構造は、六角形、十二角形、または八角形を含み得る。隣接構造は、六角形の頂点間のエッジ上にキュービットを有する六角形、十二角形の頂点間のエッジ上にキュービットを有する十二角形、八角形の頂点間のエッジ上にキュービットを有する八角形、または矩形の頂点間のエッジ上にキュービットを有する矩形を含み得る。頂点上の２つのキュービット間のエッジ上の連結キュービットは、制御キュービット（control qubit）を含んでもよく、頂点上の２つのキュービットは、ターゲット・キュービット（target qubit）を含んでもよい。このように、構造は、キュービット間の接続数を減少させ、同様に、周波数衝突の機会を減少させる。
【０００７】
本発明の別の実施形態によれば、超伝導キュービット格子（superconductingqubit lattice）は、超伝導ターゲット・キュービットおよび超伝導制御キュービットを含み、超伝導キュービット格子は、エッジによって接続された頂点を有する隣接構造を含む。超伝導ターゲット・キュービットは、頂点上に配置され、超伝導制御キュービットは、エッジ上に配置される。第１の超伝導ターゲット・キュービットは、第１の超伝導ターゲット・キュービットと第２の超伝導ターゲット・キュービットとの間のエッジ上の超伝導制御キュービットを介して、第２の超伝導ターゲット・キュービットに接続する。隣接構造は、六角形の頂点間のエッジ上に超伝導制御キュービットを有する六角形、十二角形の頂点間のエッジ上に超伝導制御キュービットを有する十二角形、八角形の頂点間のエッジ上に超伝導制御キュービットを有する八角形、または矩形の頂点間のエッジ上に超伝導制御キュービットを有する矩形を含む。このように、超伝導キュービット格子および構造は、キュービット間の接続数を減少させ、同様に、周波数衝突の機会を減少させる。
【０００８】
さらに別の実施形態によれば、超伝導キュービット格子は、超伝導キュービットを含み、超伝導キュービット格子は、エッジによって接続された頂点を有する隣接構造を含む。超伝導キュービットは、頂点上に配置される。超伝導キュービットは、３つ以下の他の超伝導キュービットに接続する。隣接構造は、六角形、十二角形、または八角形を含む。超伝導キュービットは、連結超伝導キュービットを介して３つ以下の他の超伝導キュービットに間接的に接続する。第１の超伝導キュービットは、第１の頂点上の第１の超伝導キュービットと第２の頂点上の第２の超伝導キュービットとの間のエッジ上の連結超伝導キュービットを介して第２の超伝導キュービットに接続する。このように、超伝導キュービット格子および構造は、キュービット間の接続数を減少させ、同様に、周波数衝突の機会を減少させる。
【０００９】
本発明のさらに別の実施形態によれば、超伝導キュービット格子は、超伝導ターゲット・キュービットおよび超伝導制御キュービットを含む。超伝導キュービット格子は、エッジによって接続された頂点を有する隣接構造を含み得る。超伝導ターゲット・キュービットは、頂点上に配置され、超伝導制御キュービットは、エッジ上に配置される。第１の超伝導ターゲット・キュービットは、第１の超伝導ターゲット・キュービットと第２の超伝導ターゲット・キュービットとの間のエッジ上の超伝導制御キュービットを介して、第２の超伝導ターゲット・キュービットに接続する。隣接する超伝導ターゲット・キュービットおよび超伝導制御キュービットの間の論理演算は、超伝導ターゲット・キュービットの周波数において、または周波数付近で、超伝導制御キュービットを駆動することによって実施され得る。このように、超伝導キュービット格子は、キュービット間の接続数を減少させ、同様に、周波数衝突の機会を減少させる。
【００１０】
隣接構造は、六角形、十二角形、または八角形を含み得る。隣接構造は、六角形の頂点間のエッジ上に超伝導制御キュービットを有する六角形、十二角形の頂点間のエッジ上に超伝導制御キュービットを有する十二角形、八角形の頂点間のエッジ上に超伝導制御キュービットを有する八角形、または矩形の頂点間のエッジ上に超伝導制御キュービットを有する矩形を含み得る。構造は、キュービット間の接続数を減少させ、同様に、周波数衝突の機会を減少させる。
【図面の簡単な説明】
【００１１】
【図１】例えば、図２〜１１を参照して記載されるキュービット格子配列が、本発明の実施形態に従って実施され得るブロック図である。
【図２】本発明の実施形態による、六角構造がキュービット接続の減少をもたらすキュービット格子配列の図である。
【図３】本発明の実施形態による、六角構造が、２つのキュービット・ゲートを含みキュービット接続の減少をもたらす、キュービット格子配列の図である。
【図４】本発明の実施形態による、頂点上にキュービットを有し、エッジ上に連結キュービットを有する六角構造が、キュービット接続の減少をもたらす、キュービット格子配列の図である。
【図５】本発明の実施形態による、頂点上のキュービットを連結キュービットのみに直接連結させることによって、六角構造がキュービット接続の減少をもたらす、キュービット格子配列の図である。
【図６】本発明の実施形態による、制御キュービットが頂点上に配置されたターゲット・キュービット間のエッジ上に配置される、格子配列の概して六角構造における２０個のキュービットの図である。
【図７】本発明の実施形態による、十二角構造がキュービット接続の減少をもたらす、キュービット格子配列の図である。
【図８】本発明の実施形態による、頂点上にキュービットを有し、エッジ上に連結キュービットを有する十二角構造が、キュービット接続の減少をもたらす、キュービット格子配列の図である。
【図９】本発明の実施形態による、八角構造がキュービット接続の減少をもたらす、キュービット格子配列の図である。
【図１０】本発明の実施形態による、頂点上にキュービットを有し、エッジ上に連結キュービットを有する八角構造が、キュービット接続の減少をもたらす、キュービット格子配列の図である。
【図１１】本発明の実施形態による、頂点上にキュービットを有し、エッジ上に連結キュービットを有する矩形（例えば、正方形）構造がキュービット接続の減少をもたらす、例としてのキュービット格子配列の図である。
【発明を実施するための形態】
【００１２】
以下の詳細な説明は単なる例示であり、本発明の実施形態または本発明の実施形態の適用もしくは使用、あるいはその両方を限定することを意図するものではない。さらに、前の項目、または本項目において提示されるいかなる明示的または暗示的な情報にも拘束されることを意図するものではない。
【００１３】
本発明の実施形態が、ここで図面を参照して記載され、類似の参照番号は、全体を通して類似の要素を参照するために使用される。以下の記載では、説明の目的で、本発明のより完全な理解をもたらすために、多数の具体的詳細が記載されている。しかしながら、様々な場合において、これらの具体的詳細がなくても本発明が実施され得ることは明白である。
【００１４】
さらに、本発明は、所与の例示的アーキテクチャに関して記載されるが、他のアーキテクチャ、構造、または動作、ならびにそれらの組み合わせが、本発明の範囲内において変化し得ると理解されるべきである。
【００１５】
キュービットなどの要素が、別の要素に連結され、または接続されていると言われるとき、それは、１つまたは複数の介在要素によって、他の要素に直接または間接的に連結され、または接続され得ることも理解される。これに対して、要素が、「直接」連結または接続されていると言われる場合にのみ、介在要素が存在せず、すなわち、要素が、別の要素に「直接接続されている」または「直接連結されている」と言われる場合にのみ、介在要素が存在しない。
【００１６】
本発明の「１つの実施形態」または「実施形態」に対する明細書内の参照は、それらの他の変形と同様に、実施形態に関連して記載される特定の特徴、構造、特性などが、発明の少なくとも１つの実施形態に含まれることを意味する。よって、明細書全体を通して様々な場所に現れる、「１つの実施形態において」または「実施形態において」という句の出現は、任意の他の変形と同様に、必ずしも全てが本発明の同一の実施形態を指すものではない。
【００１７】
従来のキュービット配列での問題は、２次元の水平および垂直グリッドが、その４つの直接接続された近隣を考慮すると、任意のキュービットが４つの潜在的な周波数衝突を有することを意味することである（本来、グリッドの周辺上の所与のキュービットは、より少ない近隣を有するが、大きなグリッド構造内のこれらのキュービットは、非周辺部のキュービットと比較して比較的数が少なく、ここでは別途記載されない）。水平、垂直、および対角線の接続を有することも実現可能であり、８つの潜在的な周波数衝突に対応して、それがさらに問題となりそうであることに留意されたい。
【００１８】
本明細書で記載される１つの解決策は、異なる格子幾何形状でキュービットを配列することによって、個々のキュービットの他の近隣キュービットとの接続性を減少させることであり、それによって、近隣キュービット間の周波数衝突の可能性を低下させる。本明細書で記載される別の解決策は、異なる格子幾何形状でキュービットを配列すること、および異なる役割をキュービットに割り当てることによって、個々のキュービットの他の近隣キュービットとの接続性を減少させることである。例えば、１つの幾何形状が、格子を作り上げる幾何学（多角形）構造の頂点上にターゲット・キュービットを配列し、頂点間のエッジ上に制御キュービットを配列する。
【００１９】
図１は、本発明が実施され得る汎用システム１００を示す。図１において、従来または専用のコンピューティング・マシン１０２などの制御デバイスは、プログラム、プロセス、ユーザ、または他の適当なエンティティなどからの入力１０４を受信する。入力１０４に基づいて、制御デバイス１０２は、キュービット格子配列１１０におけるキュービットのうちの選択された１つを動作させる、量子信号１０８を生成する。格子配列１１０からの出力は、実験結果などを表す対応する出力１１４を提供することなどのために、制御デバイス１０２にフィードバックされるキュービット状態の測定値を含み得る。
【００２０】
キュービット格子配列１１０を形成するために使用され得る例としての構造を参照すると、図２は、例えば破線の枠において強調される六角構造２２２によって表されるように、六角構造として配列されたキュービット（図２において円で表される）を含む格子配列２１０を示す。六角構造は、互いに隣接し、２つの頂点および１つのエッジを隣接する六角構造と共有する。また、これは、内部の六角構造についての汎用ルールであり、格子配列２１０の周辺部上の六角構造を扱っていない。
【００２１】
図２におけるキュービットは、六角構造の頂点上にあり、概して、キュービットは、格子配列２１０内において全体的に対称的に分散される。図２において表される六角構造は、正六角形として示されていないが、それらは、正六角形であってもよいことに留意されたい。隣接する他の六角構造であることに加えて、キュービットは、概して格子配列２１０内に均一に分散される。
【００２２】
内部のキュービットが４つの直接接続を有する水平および垂直グリッドとは異なり、図２のキュービットは多くとも３つの他のキュービットに直接接続されると、容易に理解され得る。よって、例えば、キュービット２２４（図２において黒い円で強調される）は、キュービット２２７〜２２９（十字が描かれた円で強調される）のみに直接接続される。接続数の減少（２つの水平および垂直グリッドと比較して）によって、図２の六角構造のうちの１つにおけるキュービットは、統計的に、その近隣キュービットのうちの１つとの周波数衝突を有する可能性が低い。
【００２３】
図３は、六角格子配列２１０において、バス３３３によって接続される２つの近隣キュービット３３０、３３２（キュービットは、黒い円として表され、例えば２つのキュービット・ゲートを形成する）が、２つのキュービット３３０、３３２によって形成されるゲートに隣接する４つのキュービット３３６〜３３９とクロストークを引き起こし得る、４つの他のキュービット周波数のみをどのように有するかを示す。容易に理解され得るように、水平および垂直グリッド配列における類似の２つのキュービット・ゲートは、６つの近隣キュービットを有し、周波数衝突の可能性が増加する。
【００２４】
図４に表される本発明の別の実施形態は、周波数衝突の可能性をさらに減少させるために、キュービットに役割を割り当てていること、および格子配列上にそれらのキュービットを配置することを対象とする。図４において、小さな黒い円は連結キュービットを表し、大きな白い円は他のキュービットを表す。１つまたは複数の実施において、連結キュービットは制御キュービットであり、他のキュービットはターゲット・キュービットである（制御キュービットおよびターゲット・キュービットの概念および機能性は、量子コンピューティングにおいて周知であり、よって本明細書では詳細に記載されない）。円の大きさは、実際の相対的な大きさを伝えることを意図するものではなく、キュービットの２つの役割を視覚的に区別することを助けることを意図するものであることに留意されたい。
【００２５】
図４において、六角構造（例えば、その１つが、破線の枠４４２によって表される）は、いくつかのキュービットが六角構造の頂点上に配置され、六角構造が互いに隣接し、キュービットが概して均一に間隔が保たれるなどの点において、図２および図３のものと概して類似である。しかしながら、図２および図３とは対照的に、頂点間のエッジは、その上に配置された連結（例えば、制御）キュービットを有する。図から分かるように、キュービット４４４（例えば、ターゲット・キュービット）は、連結キュービット４４５を通して接続され、それによって、キュービット４４６に間接的に接続される。よって、バス毎に２つのキュービット、すなわち、エッジ配置の連結（例えば、制御）キュービットおよび頂点配置の（例えば、ターゲット・）キュービットが存在する。
【００２６】
したがって、図５に表されるように、制御がターゲットにおいて駆動される、２つのキュービット・ゲート（それぞれ、小さな黒い円５５２および大きな黒い円５５４）毎に、１つの他のキュービット（「十字が描かれた」キュービット５５６によって表される）のみが、制御キュービット５５２に直接連結され、したがって、周波数衝突の数が減少する。
【００２７】
図６は、六角構造の格子内の２０個のキュービットを示し、制御キュービット（数は１２個、Ｃとラベル付けされている）は、２つのターゲット・キュービット（４つがＴ１とラベル付けされ、４つがＴ２とラベル付けされている）にのみ最近接連結され、別個の周波数が３つだけ必要とされる。ωがキュービットの周波数を表す場合に、衝突タイプ（衝突ウィンドウ（collision window）上において１０ＭＨｚの半値幅）は、タイプ１：
【数１】
2021516383.tif 000003
およびタイプ２：
【数２】
2021516383.tif 000004
である（ｊおよびｋが最近接である）。Δが、制御キュービットとターゲット・キュービットとの周波数差であり、εが、ターゲット周波数が制御周波数より大きいことが許容される量であり、δが、キュービットの非調和性（anharmonicity）である場合に、他の衝突は、タイプ３：Δｊｋ＝ωｊ−ωｋ∈（−ε，−δｊ）およびタイプ４：
【数３】
2021516383.tif 000005
であり、ｊは、制御キュービットを表し、ｋは、ターゲット・キュービットを表す。さらに他の衝突は、タイプ５：
【数４】
2021516383.tif 000006
、タイプ６：
【数５】
2021516383.tif 000007
、およびタイプ７：
【数６】
2021516383.tif 000008
である（ｉは、観客キュービット（spectator qubit）を表し、ｊは、制御キュービットを表し、ｋは、ターゲット・キュービットを表す）。
【００２８】
図７は、十二角形を含む２次元構造を有する別の格子配列７１０を示し、１つのそのような構造が、破線の枠７７２の中に表される。図７から分かる通り、キュービット７７４（黒い円によって表される）およびその近隣キュービット７７６〜７７８（十字が描かれた円によって表される）を含む、格子配列７１０における任意の個々のキュービットが、最大３つの他のキュービットに直接接続する。別個に示されないが、図７の格子配列７１０における任意の２つのキュービット・ゲートは、最大４つの他のキュービットに直接接続すると理解される。
【００２９】
図８は、十二角形を含む２次元構造を有する別の格子配列８１０を示し、格子配列８１０において、連結（例えば、制御）キュービットは、頂点上に配置された他の（例えば、ターゲット・）キュービット間のエッジ上に配置される。図８から分かるように、キュービット８８４および８８６を含む格子配列内の任意の個々のキュービットは、連結キュービット、例えば連結キュービット８８８のみに直接接続する。よって、図４および図５を参照して上述した同一の減少された周波数衝突統計値は、図８の格子配列８１０に適用される。
【００３０】
図９は、八角形を含む２次元構造を有する別の格子配列９１０を示し、１つのそのような構造が、破線の枠９９２の中に表される。図９から分かる通り、キュービット９９４（黒い円によって表される）およびその近隣キュービット９９６〜９９８（十字が描かれた円によって表される）を含む格子配列９１０における任意の個々のキュービットは、最大３つの他のキュービットに直接接続する。別個に示されないが、図９の格子配列９１０における任意の２つのキュービット・ゲートは、最大４つの他のキュービットに直接接続すると理解される。
【００３１】
図１０は、八角形を含む２次元構造を有する別の格子配列１０１０を示し、格子配列１０１０において、連結（例えば、制御）キュービットは、頂点上に配置された他の（例えば、ターゲット・）キュービット間のエッジ上に配置される。図１０から分かるように、キュービット１０１４および１０１６を含む格子配列内の任意の個々のキュービットは、連結キュービット、例えば連結キュービット１０１８のみに直接接続する。よって、図４および図５を参照して上述した同一の減少された周波数衝突統計値は、図１０の格子配列１０１０に適用される。
【００３２】
図１１は、正方形（またはより概略的には、矩形）の頂点上に配置されるキュービットに関するグリッド状格子配列１１１０を示す。しかしながら、他のグリッド状配列とは対照的に、他のキュービット間のエッジ上に連結キュービットが存在し、頂点上のキュービットは、ターゲット・キュービットであってもよく、エッジ上のキュービットは、制御キュービットであってもよい。よって、例えば、キュービット１１１６は、連結キュービット１１１７（および他の連結キュービットのみ）に直接接続し、連結キュービット１１１７は、キュービット１１１８に直接接続する。よって、図４および図５を参照して上述した同一の減少された周波数衝突統計値は、図１１の格子配列１１１０に適用される。
【００３３】
統計モデルは、周波数衝突の限定的な減少を示す。モデルに対する経験的入力は、「衝突ウィンドウ」の定義（量子モデリングまたは測定値から分かる）およびキュービット周波数の測定された統計分布を含み得る。統計モデルへの設計入力は、回路内のキュービットの数、回路内のキュービットの幾何学配列、回路内の様々なキュービットの機能（例えば、量子エラー訂正アルゴリムにおける「データ」または「アンシラ（ancilla）」としてのそれらの使用）、キュービット・タイプ（例えば、トランズモン、位相キュービット、磁束キュービット、または他の種類の超伝導キュービット）、キュービット非調和性（ＧＨｚまたはＭＨｚにおける値）、バス毎のキュービット数、所期のキュービット周波数（ＧＨｚにおける値）、および交差共鳴（ＣＲ）ゲートについての所望のフィデリティ（fidelity）を含み得る。
【００３４】
モンテ・カルロ・シミュレーション（Monte Carlo simulation）によって取得される、以下のデータ・テーブル（σは、標準偏差を表し、εは、ターゲット周波数が制御周波数より大きいことが許容される量を表し、δ＿Ｃは、制御キュービットの非調和性を表し、δ＿Ｔは、ターゲット・キュービットの非調和性を表す）は、（制御キュービット周波数）ωＣ＝５．２ＧＨｚを有する六角格子（頂点およびエッジ）を要約する。
【００３５】
【表１】
2021516383.tif 000009
【００３６】
以下のテーブルは、ωＣ＝５．２ＧＨｚを有する六角格子と正方形格子（頂点およびエッジ）の比較を要約する。
【００３７】
【表２】
2021516383.tif 000010
【００３８】
上記から分かるように、格子設計における幾何形状によって個々のキュービットと他のキュービットとの間の接続性を減少させ、それによって周波数衝突の可能性を低下させる技術が記載される。格子設計は、個々のキュービットが直接接続される最大３つの他のキュービットを有するように、または連結キュービットによって接続されるキュービットを有するように提供する構造を含む。
【００３９】
本発明の１つまたは複数の態様は、格子配列に配列されるキュービットを含むデバイスを対象とし、格子配列は、エッジによって接続された頂点を有する隣接構造を含む。キュービットは、頂点上に配置され、格子配列内のキュービットは、３つ以下の他のキュービットに直接接続するか、または頂点上の２つのキュービット間のエッジ上の連結キュービットを介して別のキュービットに接続する。
【００４０】
隣接構造は、六角形、十二角形、八角形、または矩形を含んでもよく、それぞれが、頂点間のエッジ上にキュービットを有する。
【００４１】
頂点上の２つのキュービット間のエッジ上の連結キュービットは、制御キュービットを含んでもよく、頂点上の２つのキュービットは、ターゲット・キュービットを含んでもよい。
【００４２】
本発明の１つまたは複数の態様は、超伝導ターゲット・キュービットおよび超伝導制御キュービットを含む超伝導キュービット格子を対象とし、格子は、エッジによって接続された頂点を有する隣接構造を含む。ターゲット・キュービットは、頂点上に配置されてもよく、制御キュービットは、エッジ上に配置されてもよい。第１のターゲット・キュービットは、第１のターゲット・キュービットと第２のターゲット・キュービットとの間のエッジ上の制御キュービットを介して、第２のターゲット・キュービットに接続し得る。
【００４３】
隣接構造は、六角形、十二角形、八角形、または矩形を含んでもよく、それぞれが、矩形の頂点間のエッジ上に超伝導制御キュービットを有する。
【００４４】
本発明の１つまたは複数の態様は、超伝導キュービットを含む超伝導キュービット格子を対象とし、キュービット格子は、エッジによって接続された頂点を有する隣接構造を含む。キュービットは、頂点上に配置され得る。キュービットは、３つ以下の他のキュービットに接続する。
【００４５】
隣接構造は、六角形、十二角形、または八角形を含み得る。キュービットは、連結キュービットを介して３つ以下の他のキュービットに間接的に接続し得る。第１のキュービットは、第１の頂点上の第１の超伝導キュービットと第２の頂点上の第２のキュービットとの間のエッジ上の連結キュービットを介して第２のキュービットに接続し得る。
【００４６】
１つまたは複数の態様は、超伝導ターゲット・キュービットおよび超伝導制御キュービットを含む超伝導キュービット格子を対象とする。キュービット格子は、エッジによって接続された頂点を有する隣接構造を含み得る。ターゲット・キュービットは、頂点上に配置されてもよく、制御キュービットは、エッジ上に配置されてもよい。第１のターゲット・キュービットは、第１のターゲット・キュービットと第２のターゲット・キュービットとの間のエッジ上の制御キュービットを介して、第２のターゲット・キュービットに接続し得る。隣接する超伝導ターゲット・キュービットおよび超伝導制御キュービットの間の論理演算は、ターゲット・キュービットの周波数において、または周波数付近で、制御キュービットを駆動することによって実施され得る。
【００４７】
隣接構造は、六角形、十二角形、八角形、または矩形を含んでもよく、それぞれが、頂点間のエッジ上に制御キュービットを有する。
【００４８】
上述したものは、単なる例を含む。本発明を説明する目的で格子配列、コンポーネント、材料などのあらゆる考えられる組み合わせを記載することは、当然ながらできないが、当業者は、本発明の多くのさらなる組み合わせおよび交換が可能であると認識し得る。さらに、「含む」、「有する」、「所有する」などの用語が、詳細な説明、特許請求の範囲、添付、および図面において使用される限り、そのような用語は、「備える」が特許請求の範囲で転換語として使用される際に解釈されるように、「備える」という用語と同様に包含的であることを意図する。
【００４９】
本発明の様々な実施形態の記載は、例示の目的で提示されているが、網羅的であること、または開示される本発明の実施形態に限定することを意図するものではない。多くの変更および変形が、本発明の範囲から逸脱することなく当業者には明らかである。本明細書で使用される専門用語は、本発明の原理、実用的な適用、もしくは市場で見出される技術に対する技術的改善を最もよく説明するため、または他の当業者が本発明を理解可能にするために、選択された。
【図１】
2021516383.tif 000011
【図２】
2021516383.tif 000012
【図３】
2021516383.tif 000013
【図４】
2021516383.tif 000014
【図５】
2021516383.tif 000015
【図６】
2021516383.tif 000016
【図７】
2021516383.tif 000017
【図８】
2021516383.tif 000018
【図９】
2021516383.tif 000019
【図１０】
2021516383.tif 000020
【図１１】
2021516383.tif 000021
【国際調査報告】
2021516383.tif 000022
2021516383.tif 000023
2021516383.tif 000024
2021516383.tif 000025